(57)【特許請求の範囲】
【請求項１】
遊技領域内に遊技球が入賞可能な普通入賞口と、始動口と、大入賞口と、その何れにも入賞しなかった非入賞球を回収するためのアウト口とを備え、前記始動口へ遊技球が入賞すると、所定の遊技動作を実行する主基板が設置されている一方、
前記主基板に接続され、貸出ボタンが操作された場合に所定数の遊技球を貸出球として貸し出すとともに、前記普通入賞口、前記始動口、及び前記大入賞口に遊技球が入賞した場合に所定数の遊技球を賞品球として払い出すための払出装置と、当該払出装置における貸出動作及び払出動作を制御する払出基板とが設置された遊技機であって、
前記主基板に、前記普通入賞口へ入賞した遊技球を検出する普通入賞球センサと、前記始動口へ入賞した遊技球を検出する始動球センサと、前記大入賞口へ入賞した遊技球を検出する大入賞球センサと、前記アウト口から回収された遊技球を検出するアウト球センサとを接続するとともに、各センサにより検出された遊技球数を夫々センサ毎にカウントする第１カウント手段を設ける一方、
前記払出基板に、前記貸出球を検出する貸出球センサと、前記賞品球を検出する賞品球センサとを接続するとともに、各センサにより検出された遊技球数を夫々センサ毎にカウントする第２カウント手段を設け、
さらに、前記払出基板に接続され、前記払出基板から受け取る前記第２カウント手段によりカウントされた数値、及び前記主基板から前記払出基板を介して受け取る前記第１カウント手段によりカウントされた数値とから出球数を算出する制御手段と、前記出球数を稼働情報として記憶する不揮発性メモリと、当該不揮発性メモリ内の情報を出力するポートとが搭載された稼働情報保持基板を設けたことを特徴とする遊技機。
【請求項２】
ポートは、情報の出力のみを行うことを特徴とする請求項１に記載の遊技機。
【請求項３】
稼働情報保持基板をポートにアクセス可能に収納する基板収納手段が設けられていることを特徴とする請求項２に記載の遊技機。
【発明の詳細な説明】
【０００１】
【発明の属する技術分野】
本発明は、パチンコ機を始めとする遊技機に関する。
【０００２】
【従来の技術】
遊技機の一例としてのパチンコ機においては、賞品球の提供数を、ホールコンピュータに報知する目的で逐次出力している。この逐次出力を行うために、パチンコ機には、賞品球カウンタと、賞品球情報端子とが設置されている。賞品球カウンタは、賞品球センサと、揮発性のＲＡＭとを備えており、賞品球センサからの賞品球検出信号の受信を９回までＲＡＭに記憶し、１０回に達する際に記憶を０にクリアしてループさせるループカウントを行うと共に、ループ時にパルス電圧で表現される賞品球情報信号を賞品球情報端子へ発する。
【０００３】
又、同様に、パチンコ機には、貸出球情報信号を逐次出力するための貸出球カウンタ及び貸出球情報端子が設置されている。一方、遊技領域に打ち込まれた遊技球は、パチンコ機を収めた島設備に排出されるが、この排出球の数に対応する排出球情報信号は、島設備が同様の排出球カウンタ及び排出球情報端子を備えることで、島設備から逐次出力されている。
【０００４】
【発明が解決しようとする課題】
以上のパチンコ機及び島設備は、ホールコンピュータの信号線を各情報端子において受け入れて、各情報信号を提供することができる。従って、ホールコンピュータは、各情報信号に基づいて、リアルタイムに賞品球数、貸出球数、及び排出球数を把握することができ、又、必要であればホールコンピュータ側でこれら球数を保存することもできる。よって、パチンコ機における上記各カウンタ等の装備は、ホールコンピュータに対するサービスとしては十分なものであった。
【０００５】
しかし、遊技機を稼働状況に応じたリース料でリースするという、合理的な新規プランを実行に移す場合に、上記のパチンコ機では、次の問題が生ずる。即ち、稼働状況を把握するために、賞品球数、貸出球数、又は排出球数を取得する必要があるが、パチンコ機や島設備は、これら球数を９個までしか保持できず、しかもこれら球数はＲＡＭに記憶されるために電源を断たれると失われてしまう。
【０００６】
又、排出球数を取得する場合には島設備に接続しなければならず、煩わしいし、リース対象であるパチンコ機において、リース料の基準となる排出球数を保持していないこととなってしまい、島設備がリースされないときには情報の所有権の面で整合が取れない。
【０００７】
更に、場合によって、賞品球数等を単に保持していたのでは、改竄を始めとする不正行為を防御することができず、稼働状況に応じるという紳士的な趣旨を悪用されてしまう。
【０００８】
そこで、請求項１に記載の発明は、上記リースのプランを円滑に実行するために、自身においてリース料のための情報を取得し、保持し、出力することのできる遊技機を提供することを目的としたものである。
【０００９】
又、請求項２及び請求項３に記載の発明は、上記目的に加えて、利便性を損なわずに、不正に対するセキュリティを確保することのできる遊技機を提供することを目的としたものである。
【００１０】
【課題を解決するための手段】
上記目的を達成するために、請求項１に記載の発明は、遊技領域内に遊技球が入賞可能な普通入賞口と、始動口と、大入賞口と、その何れにも入賞しなかった非入賞球を回収するためのアウト口とを備え、前記始動口へ遊技球が入賞すると、所定の遊技動作を実行する主基板が設置されている一方、前記主基板に接続され、貸出ボタンが操作された場合に所定数の遊技球を貸出球として貸し出すとともに、前記普通入賞口、前記始動口、及び前記大入賞口に遊技球が入賞した場合に所定数の遊技球を賞品球として払い出すための払出装置と、当該払出装置における貸出動作及び払出動作を制御する払出基板とが設置された遊技機であって、前記主基板に、前記普通入賞口へ入賞した遊技球を検出する普通入賞球センサと、前記始動口へ入賞した遊技球を検出する始動球センサと、前記大入賞口へ入賞した遊技球を検出する大入賞球センサと、前記アウト口から回収された遊技球を検出するアウト球センサとを接続するとともに、各センサにより検出された遊技球数を夫々センサ毎にカウントする第１カウント手段を設ける一方、前記払出基板に、前記貸出球を検出する貸出球センサと、前記賞品球を検出する賞品球センサとを接続するとともに、各センサにより検出された遊技球数を夫々センサ毎にカウントする第２カウント手段を設け、さらに、前記払出基板に接続され、前記払出基板から受け取る前記第２カウント手段によりカウントされた数値、及び前記主基板から前記払出基板を介して受け取る前記第１カウント手段によりカウントされた数値とから出球数を算出する制御手段と、前記出球数を稼働情報として記憶する不揮発性メモリと、当該不揮発性メモリ内の情報を出力するポートとが搭載された稼働情報保持基板を設けたことを特徴とするものである。
【００１１】
請求項２に記載の発明は、請求項１に記載の発明において、ポートは、情報の出力のみを行うことを特徴とするものである。
【００１４】
請求項３に記載の発明は、請求項２に記載の発明において、稼働情報保持基板をポートにアクセス可能に収納する基板収納手段が設けられていることを特徴とするものである。
【００１５】
【発明の実施の形態】
以下、本発明の実施の形態を図面に基づいて説明する。
【００１６】
（１）先ず、第１形態につき、説明する。
【００１７】
（１−１）第１形態に係るパチンコ機の機械的側面は、以下の通りである。
【００１８】
即ち、図１は、当該パチンコ機１の前面を示す説明図であって、前面の中央よりやや上側には、遊技領域２が設けられている。遊技領域２には、多数の障害釘３に加えて、普通入賞口４、図柄の始動口５及び大入賞口６が設置されている。尚、図柄は、遊技領域２の中央に設置された表示装置１０において変動表示及び確定表示される。
【００１９】
又、遊技領域２の下端には、非入賞球であるアウト球を回収するためのアウト口１１が設けられている。更に、遊技領域２の下方には、カードや現金等の投入等を条件に遊技者が所定数の貸出球を得ようとする際に押下し、押下により電圧変化である貸出信号を発する貸出ボタン１３が設置されている。
【００２０】
図２は、パチンコ機１の背面を示す説明図であって、背面の中央上側には、島設備から補給された払出球を蓄えるタンク１４が設置されており、タンク１４の右下には、タンク１４から２列で供給された払出球の内、一方の列に係るものを貸出球として送出し、他方の列に係るものを賞品球として送出する払出装置１５が設置されている。そして、払出装置１５における一方の列の下端縁には、貸出球センサ１６が設けられており、他方の列の下端縁には、賞品球センサ１７が設けられている。
【００２１】
加えて、背面からみて左下角付近には、パチンコ機１の全体的な制御を行う主基板（図示せず）を封入した主基板ボックス２０が設置されており、その右下側には、払出装置１５を制御する払出基板（図示せず）を覆う払出基板カバー２４が設けられている。又、払出基板の背面からみて裏側には、普通入賞口４、始動口５及び大入賞口６への入賞球と、アウト口１１からのアウト球とが合流し、島設備の回収装置へ延びる排出通路（図示せず）が通っており、当該排出通路には、排出球センサ２６が設けられている。
【００２２】
更に、払出基板カバー２４の右隣には、稼働情報保持基板２８（図３）を収める封入手段或いは基板収納手段としての稼働情報保持基板カバー３０が設置されている。稼働情報保持基板２８は、保持する情報の出力のみを行う出力ポート３２を備えており、稼働情報保持基板カバー３０は、出力ポート３２と略同じ大きさのアクセス孔３４を有している。
【００２３】
（１−２）又、パチンコ機１の電気的側面につき説明する。
【００２４】
図３は、パチンコ機１の稼働情報に関する制御機構を示したものである。稼働情報保持基板２８には、ＲＯＭ及びＲＡＭを含むＣＰＵ４０が搭載されると共に、ＣＰＵ４０及び出力ポート３２と接続された、不揮発性メモリとしてのＥＥＰＲＯＭ４２が搭載されている。
【００２５】
又、稼働情報保持基板２８には、貸出球センサ１６、賞品球センサ１７、排出球センサ２６が、電気的に接続（以下「接続」という）されており、各球の検出信号、即ち貸出球信号、賞品球信号、排出球信号を受信可能となっている。尚、不正防止のため、各種部材間の通信は、片方向通信とする。
【００２６】
稼働情報保持基板２８のＣＰＵ４０は、ＲＯＭに格納しているプログラムを実行し、貸出球信号、賞品球信号、排出球信号をカウントして、稼働情報としての、貸出球カウンタ、賞品球カウンタ、排出球カウンタをＲＡＭ内で更新するカウント処理、取得した稼働情報をＥＥＰＲＯＭ４２へ書き込む稼働情報保持処理、ＥＥＰＲＯＭ４２に稼働情報を出力ポート３２へ出力させるポート処理等を行う。
【００２７】
尚、稼働情報保持基板カバー３０を出力ポート３２と略同じ大きさのアクセス孔３４付きで設けることにより、出力ポート３２には情報機器の端子を接続するアクセスを可能としつつも、ＥＥＰＲＯＭ４２を工具で触れたり取り出したりすることができないようにし、封入している。
【００２８】
（１−３）そして、パチンコ機１における、稼働情報の保持に関する動作は、以下の通りである。
【００２９】
パチンコ機１の電源が投入された後、貸出ボタン１３が押下されると、貸出信号が発生し、当該信号と、貸球カードが差し込まれているか、又は現金が投入されているか等の所定条件の充足とをチェックした払出基板は、払出装置１５に所定数の貸出球の払出を指令する。
【００３０】
貸出球の払出により、貸出球は貸出球センサ１６を通過し、貸出球センサ１６は貸出球信号を発する。稼働情報保持基板２８のＣＰＵ４０は、貸出球信号を受信すると、貸出球のカウント処理を行い、ＲＡＭ内の貸出球カウンタを更新する。
【００３１】
一方、遊技領域２へ発射された遊技球は、普通入賞口４、始動口５、大入賞口６の何れかに入賞するか、アウト口１１に達してしまうかの何れかとなるが、何れの場合であっても回収のために排出通路に導かれ、排出球センサを通過し、排出球信号を発生させる。ＣＰＵ４０は、排出球信号の受信に基づきＲＡＭ内の排出球カウンタを増し、排出球に関するカウント処理を行う。
【００３２】
又、普通入賞口４、始動口５、大入賞口６の何れかに入賞した場合には、当該入賞に基づき、払出基板が払出装置１５に入賞口の種類に応じた賞品球の払出を指令する。本指令により、賞品球が賞品球センサに検知され、賞品球信号が稼働情報保持基板２８に達する。ＣＰＵ４０は、賞品球信号を受信すると、賞品球のカウント処理を行う。
【００３３】
そして、ＣＰＵ４０は、稼働情報保持処理により、ＲＡＭに記憶した貸出球カウンタ、賞品球カウンタ、排出球カウンタの現時点での値を、ＥＥＰＲＯＭ４２内に保持する。
【００３４】
そして、保持された稼働情報は、図４に示すように、アクセス孔３４を介して、稼働情報保持基板２８の出力ポート３２に情報機器の端子４４を接続することで、受信可能である。即ち、ＣＰＵ４０は、出力ポート３２に端子４４が接続されると、ポート処理を行って、ＥＥＰＲＯＭ４２内の貸出球カウンタ、賞品球カウンタ、排出球カウンタを読み取り、出力ポート３２へ出力する。
【００３５】
尚、ポート処理に際しては、出力に先立って稼働情報保持処理を実行し、ＣＰＵ４０のＲＡＭ内における稼働情報の現状をＥＥＰＲＯＭ４２へ反映させる。又、当該情報機器においては、取得した稼働情報を次式に当てはめることにより、出球数が計算される。
0004254095.tif 000002
【００３６】
（１−４）このようなパチンコ機１では、以下のような効果を有する。
【００３７】
即ち、パチンコ機１において、稼働情報は、不揮発性のＥＥＰＲＯＭ４２に記憶されると共に、出力ポート３２から出力されるため、パチンコ機１の電源が断たれても稼働情報を保持する一方、パチンコ機１に端子を接続することで稼働情報を出力することができる。従って、パチンコ機１を、稼働情報から導出可能な情報で示される稼働状況に応じたリース料でリースするという、合理的な新規プランをスムーズに実行に移すことができ、稼働情報はリース対象であるパチンコ機１に保持されるために整合を図ることもできる。
【００３８】
ここで、リースの内容としては、所定期間毎に、算出された出球数に所定数を乗算して得た額を支払うもの、出球数に応じた額と一定額とを組み合わせたもの、初回や年度毎に１回といった特定回のみ一定額又はこれと出球数に応じた額とを支払い、他は出球数に応じた額のみ支払うもの等が挙げられる。
【００３９】
尚、パチンコ機１において、各種入賞球及びアウト球を排出球センサでまとめて検知しているため、稼働情報を取得するための構成がシンプルで低コストなものとなる。又、パチンコ機１には、稼働状況を算出する式（リース料の算出に直結する稼働情報或いはこれを得る式）が実装されないため、リース料の算出根拠等の第三者への流出を防止することができる。
【００４０】
又、出力ポート３２は、出力のみを行うため、稼働情報やその形成過程を改竄するような操作を受けることが無く、セキュリティが確保される。
【００４１】
更に、ＥＥＰＲＯＭ４２が、稼働情報保持基板カバー３０により封入されているため、ＥＥＰＲＯＭ１２を取り出したり、書き込み装置を不正に接続したりすることが物理的に不可能となり、リース料の決定に重大な影響を及ぼす稼働情報の完全性を保つ。
【００４２】
又更に、ＥＥＰＲＯＭ４２と出力ポート３２とが稼働情報保持基板２８としてまとめられているため、稼働情報を取り扱うための構成がシンプルになり、コストが低減され、稼働情報の可用性も増す。
【００４３】
加えて、稼働情報保持基板２８を、アクセス孔３４付きの稼働情報保持基板カバー３０に収納したので、封入によるセキュリティ保持と出力ポート３２による可用性との両立が簡易に図れる。
【００４４】
（２）続いて、第２形態につき、説明する。
【００４５】
（２−１）先ず、第２形態に係るパチンコ機の機械的側面は、以下の通りである。
【００４６】
図１は、当該パチンコ機１０１の前面を示す説明図であって、前面の中央よりやや上側には、遊技領域１０２が設けられている。遊技領域１０２には、多数の障害釘１０３に加えて、普通入賞口１０４、図柄の始動口１０５及び大入賞口１０６が設置されている。普通入賞口１０４は、入賞球を検知すると、パルス電圧である普通入賞信号を発する、普通入賞球センサ１０７を備えており、大入賞口１０６は、同様に、大入賞信号を発する大入賞球センサ１０９を備えている。尚、図柄は、遊技領域１０２の中央に設置された表示装置１１０において変動表示及び確定表示される。
【００４７】
又、遊技領域１０２の下端には、非入賞球であるアウト球を回収するためのアウト口１１１が設けられている。そして、アウト口１１１の内部には、アウト球センサ１１２が設置されている。又、遊技領域１０２の下方には、カードや現金等の投入等を条件に遊技者が所定数の貸出球を得ようとする際に押下し、押下により電圧変化である貸出信号を発する貸出ボタン１１３が設置されている。
【００４８】
図２は、パチンコ機１０１の背面を示す説明図であって、背面の中央上側には、島設備から補給された払出球を蓄えるタンク１１４が設置されており、タンク１１４の右下には、タンク１１４から２列で供給された払出球の内、一方の列に係るものを貸出球として送出し、他方の列に係るものを賞品球として送出する払出装置１１５が設置されている。そして、払出装置１１５における一方の列の下端縁には、貸出球センサ１１６が設けられており、他方の列の下端縁には、賞品球センサ１１７が設けられている。
【００４９】
加えて、背面からみて左下角付近には、主基板１１８（図３）を封入した主基板ボックス１２０が設置されており、その右下側には、払出基板１２２（図３）を覆う払出基板カバー１２４が設けられている。
【００５０】
又、払出基板カバー１２４の右隣には、稼働情報保持基板１２８（図３）を収める封入手段或いは基板収納手段としての稼働情報保持基板カバー１３０が設置されている。稼働情報保持基板１２８は、保持する情報の出力のみを行う出力ポート１３２を備えており、稼働情報保持基板カバー１３０は、出力ポート１３２と略同じ大きさのアクセス孔１３４を有している。
【００５１】
（２−２）次に、パチンコ機１０１の電気的側面につき説明する。
【００５２】
図３は、パチンコ機１０１の制御機構の一部を示したものである。主基板１１８には、ＲＯＭ及びＲＡＭを含むＣＰＵ１３６が搭載されている。又、主基板１１８には、普通入賞球センサ１０７、大入賞球センサ１０９、アウト球センサ１１２、賞品球センサ１１７が、電気的に接続されており、各球の検出信号、即ち普通入賞球信号、大入賞球信号、アウト球信号、賞品球信号を受信可能となっている。尚、不正防止のため、各種部材間の通信は、片方向通信とする。
【００５３】
更に、主基板１１８には、払出基板１２２が接続されている。払出基板１２２には、ＲＯＭ及びＲＡＭを含むＣＰＵ１３８が搭載されている。又、払出基板１２２にも、貸出球センサ１１６及び賞品球センサ１１７が接続されている。更に、払出基板１２２には、払出装置１１５を指令するために接続していると共に、稼働情報保持基板１２８が接続されている。
【００５４】
主基板１１８のＣＰＵ１３６は、ＲＯＭに格納しているメインプログラムを実行して、始動口１０５への入賞毎に行う、遊技者にとって有利な大当たり状態を生起するか否かの大当たり判定、大当たり状態の生起時に大入賞口１０６を開成する等の大当たり処理、払出基板１２２等へ各種コマンドを通知するコマンド発信処理、貸出球信号を除く、普通入賞球信号、大入賞球信号、アウト球信号、賞品球信号をカウントして、稼働情報としての、普通入賞球カウンタ、大入賞球カウンタ、アウト球カウンタ、賞品球カウンタをＲＡＭ内で更新するカウント処理等を行う。
【００５５】
ここで、コマンドには、各カウンタの値を払出基板１２２に記憶させる稼働情報コマンドを含む。又、コマンドには、払出基板１２２に提供すべき賞品球が増えた分加算する数を示す賞品球加算数を伝達する加算コマンドが含まれる。更に、コマンドには、表示装置１１０に対して図柄の変動表示や確定表示及び大当たり状態生起時の表示を指令する表示コマンドも含まれる。尚、図柄の確定表示の態様により、大当たり状態の生起の有無が遊技者に報知される。
【００５６】
又、払出基板１２２のＣＰＵ１３８は、ＲＯＭに格納している払出プログラムを実行して、主基板１１８からのコマンドを実行するコマンド受信処理、払出装置１１５を制御する払出処理等を行う。コマンド受信処理には、賞品球加算数をＣＰＵ１３８のＲＡＭに記憶する、加算コマンド受信処理が含まれると共に、主基板１１８からの稼働情報をＲＡＭに記憶する、稼働情報コマンド受信処理が含まれる。又、ＣＰＵ１３８は、払出プログラムにより、受信した貸出球信号に基づき稼働情報である貸出球カウンタをＲＡＭで更新するカウント処理を実行する。更に、ＣＰＵ１３８は、払出プログラムにより、ＲＡＭ内の稼働情報を稼働情報保持基板１２８へ定期的に通知する情報発信処理をも行う。
【００５７】
そして、稼働情報保持基板１２８には、ＲＯＭ及びＲＡＭを含むＣＰＵ１４０が搭載されると共に、ＣＰＵ１４０及び出力ポート１３２と接続された、不揮発性メモリとしてのＥＥＰＲＯＭ１４２が搭載されている。
【００５８】
ＣＰＵ１４０は、ＲＯＭに格納している稼働情報プログラムを実行して、払出基板１２２から通知された稼働情報をＲＡＭに記憶する稼働情報受信処理、ＲＡＭに格納した情報をＥＥＰＲＯＭ１４２へ書き込む稼働情報保持処理、ＥＥＰＲＯＭ１４２に内部情報を出力ポート１３２へ出力させるポート処理等を行う。
【００５９】
尚、稼働情報保持基板カバー１３０を出力ポート１３２と略同じ大きさのアクセス孔１３４付きで設けることにより、出力ポート１３２には情報機器の端子を接続するアクセスを可能としつつも、ＥＥＰＲＯＭ１４２を工具で触れたり取り出したりすることができないようにし、封入している。
【００６０】
（２−３）続いて、パチンコ機１０１における、稼働情報の保持に関する動作につき説明する。
【００６１】
パチンコ機１０１の電源が投入された後、貸出ボタン１１３が押下されると、貸出信号が発生し、払出基板１２２に達する。払出基板１２２のＣＰＵ１３８は、貸出信号を受信すると、上記の条件が満足されていることを確認した後に、払出装置１１５に所定数の貸出球の払出を指令する。
【００６２】
所定数の貸出球の払出は、ＣＰＵ１３８が算出しＲＡＭに記憶した、貸出球の払出に関する要請数である貸出球要請数に従って払出基板１２２により行われる。ＣＰＵ１３８は、貸出球要請数を、貸出信号の受信及び条件の満足により、貸出球要請数を所定数だけ増す。ＣＰＵ１３８は、貸出球要請数が存在すると、払出装置１１５を制御して、貸出球を払い出す。払い出された貸出球は、貸出球センサ１１６を通過し、通過により貸出球センサ１１６は貸出球信号を発信する。貸出球信号は、払出基板１２２に達し、ＣＰＵ１３８は、貸出球信号を受信する度に貸出球要請数を減じる。
【００６３】
又、ＣＰＵ１３８は、貸出球信号の受信に基づき貸出球のカウント処理を行い、ＲＡＭ内の貸出球カウンタを更新する。
【００６４】
一方、遊技領域１０２へ発射された遊技球が、普通入賞口１０４へ入賞せず、アウト口１１１へ達すると、アウト球信号が発生し、主基板１１８に到達する。主基板１１８のＣＰＵ１３６は、アウト球信号を受信すると、その受信の度にＲＡＭ内のアウト球カウンタを増し、アウト球に関するカウント処理を行う。
【００６５】
他方、遊技領域１０２へ発射された遊技球が、普通入賞口１０４へ入賞すると、普通入賞球信号が発生し、主基板１１８に到達する。主基板１１８のＣＰＵ１３６は、普通入賞球信号を受信すると、その受信の度にＲＡＭ内の普通入賞球カウンタを増し、普通入賞球に関するカウント処理を行う。
【００６６】
更に、遊技領域１０２へ発射された遊技球が、始動口１０５へ入賞すると、始動球信号が発生し、主基板１１８に到達する。主基板１１８のＣＰＵ１３６は、始動球信号を受信すると、その受信の度にＲＡＭ内の始動球カウンタを増し、始動球に関するカウント処理を行う。
【００６７】
尚、ＣＰＵ１３６は、始動球信号の受信に基づき、大当たり判定を実行する。大当たり判定により大当たり状態を生起すると判断した場合には、その旨を示す「７７７」のような確定表示を指令すると共に、大入賞口１０６の開成と生起中の表示指令とを含む大当たり処理を行う。
【００６８】
加えて、遊技領域２へ発射された遊技球が、大入賞口１０６へ入賞すると、大入賞信号が発生し、主基板１１８に到達する。主基板１１８のＣＰＵ１３６は、大入賞球信号を受信すると、その受信の度にＲＡＭ内の大入賞球カウンタを増し、大入賞球に関するカウント処理を行う。
【００６９】
又、ＣＰＵ１３６は、次の式において賞品球加算数を計算し、０でなければ加算コマンドを発行する。
0004254095.tif 000003
【００７０】
そして、ＣＰＵ１３６は、アウト球カウンタ、賞品球カウンタ、普通入賞球カウンタ、始動球カウンタ、大入賞球カウンタの各々について、定期的にその値を払出基板１２２へ通知する稼働情報コマンドを発行する。発行直後には、各カウンタの値をクリアし、０に戻す。
【００７１】
ＣＰＵ１３６は、加算コマンド及び稼働情報コマンドを発行した場合、払出基板１２２へ発信する。
【００７２】
加算コマンドを受信した払出基板１２２は、賞品球加算数をＣＰＵ１３８のＲＡＭに記憶する。又、ＣＰＵ１３８は、賞品球加算数を、賞品球の払出に関する要請数である賞品球要請数に加え、クリアする。更に、ＣＰＵ１３８は、賞品球要請数が存在すれば、払出装置１１５に賞品球の払出を指令する。この払出により、賞品球センサ１１７が賞品球信号を発生し、賞品球信号は主基板１１８に到達するのに加えて、払出基板１２２に達する。ＣＰＵ１３８は、賞品球信号を受信すると、その分賞品球要請数を減ずる。
【００７３】
一方、稼働情報コマンドを受信した払出基板１２２は、各稼働情報をＣＰＵ１３８のＲＡＭに記憶する。又、ＣＰＵ１３８は、これら稼働情報に貸出球カウンタを連ねて情報発信処理の対象とし、稼働情報を稼働情報保持基板１２８へ定期的に通知する。
【００７４】
稼働情報を受けた稼働情報保持基板１２８のＣＰＵ１４０は、稼働情報受信処理により、これら稼働情報をＲＡＭに記憶する。又、定期的に稼働情報保持処理を行い、ＲＡＭ内の稼働情報、即ちアウト球カウンタ、普通入賞球カウンタ、大入賞球カウンタ、アウト球カウンタ、賞品球カウンタ、貸出球カウンタの値を、各々ＥＥＰＲＯＭ１４２内の対応する値と加えた後でＥＥＰＲＯＭ１４２に書き込み、クリアする。従って、ＲＡＭ内の稼働情報は、更新のうえでＥＥＰＲＯＭ１４２に保持される。
【００７５】
又、稼働情報保持処理に際して、ＣＰＵ１４０は、次の式において稼働情報としての出球数を計算し、同様にＥＥＰＲＯＭ１４２に保持する。ここで、各カウンタの値としては、ＥＥＰＲＯＭ１４２に書き込むものを使用する。
0004254095.tif 000004
【００７６】
そして、保持された稼働情報の内、出球数は、図４に示すように、アクセス孔１３４を介して、稼働情報保持基板１２８の出力ポート１３２に情報機器の端子１４４を接続することで、受信可能である。即ち、ＣＰＵ１４０は、出力ポート１３２に端子１４４が接続されると、ＥＥＰＲＯＭ１４２内の出球数を読み取り、出力ポート１３２へ出力する。
【００７７】
（２−４）以上のようなパチンコ機１０１では、以下のような効果を有する。
【００７８】
即ち、パチンコ機１０１において、稼働情報は、不揮発性のＥＥＰＲＯＭ１４２に記憶されると共に、出力ポート１３２から出力されるため、パチンコ機１０１の電源が断たれても稼働情報を保持し、要求があった場合には、パチンコ機１０１に端子を接続することで稼働情報を出力することができる。従って、パチンコ機１０１を、稼働情報で示される稼働状況に応じたリース料でリースするという、合理的な新規プランをスムーズに実行に移すことができ、稼働情報はリース対象であるパチンコ機１０１に保持されるために整合を図ることもできる。
【００７９】
尚、パチンコ機１０１において、各入賞口に配されたセンサや、払出処理のために駆動されるカウンタ或いは払出基板を、稼働情報の保持のために用いているため、このような構成や動作を行っているパチンコ機１０１と同形式のものに対して、稼働情報保持基板１２８（ＥＥＰＲＯＭ１４２、出力ポート１３２）を低コストで容易に導入することができる。
【００８０】
又、出力ポート１３２は、出力のみを行うため、稼働情報やその形成過程を改竄するような操作を受けることが無く、セキュリティが確保される。
【００８１】
更に、ＥＥＰＲＯＭ１４２が、稼働情報保持基板カバー１３０により封入されているため、ＥＥＰＲＯＭ１４２を取り出したり、書き込み装置を不正に接続したりすることが物理的に不可能となり、リース料の決定に重大な影響を及ぼす稼働情報の完全性を保つ。
【００８２】
又更に、ＥＥＰＲＯＭ１４２と出力ポート１３２とが稼働情報保持基板１２８としてまとめられているため、稼働情報を取り扱うための構成がシンプルになり、コストの低減に寄与し、稼働情報の可用性も増す。
【００８３】
加えて、稼働情報保持基板１２８を、アクセス孔１４４付きの稼働情報保持基板カバー１３０に収納したので、封入によるセキュリティ保持と出力ポート１３２による可用性との両立が簡易に図れる。
【００８４】
（３）尚、本発明は、以上の形態に限定されるものではなく、次に一部示すように、本発明を逸脱しない範囲において、様々に変更可能である。
【００８５】
稼働情報としては、他に遊技球の発射数、大当たり状態の生起数等を採用することができる。出球数は、排出球カウンタ、貸出球カウンタ、賞品球カウンタ、普通入賞球カウンタ、始動球カウンタ、大入賞球カウンタ以外の要素を考慮して、又はこれらの内一部を省いて算出しても良い。
【００８６】
又、リース料を算出する場合に、出球数以外の稼働情報、或いは稼働情報から導出される情報を用いることができ、例えば排出球カウンタの値からパチンコ機の稼働時間を推定し、当該稼働時間に基づくようにすることができる。
【００８７】
一方、各球を検出するセンサの配置や種類は、始動球カウンタ及び大入賞球カウンタの値を一括して求めるために、始動球、大入賞球を集合する通路に統合したセンサを設けたり、貸出球カウンタと賞品球カウンタの値を一括して求めるために、貸出球と賞品球とを集合する通路を設けて当該通路にセンサを設けたり、リース価格を決定する際にアウト球は参照しないとすれば、アウト球センサを省略したりする等、様々に変更することができる。
【００８８】
又、不揮発性メモリは、フラッシュＲＯＭ、ハードディスクやフレキシブルディスク等の磁気ディスク、各種光ディスク乃至は光磁気ディスク、各種メモリカード等を使用することができる。更に、不揮発性メモリやポートは、主基板、払出基板、払出装置等の他の基板乃至部材に搭載することができ、不揮発性メモリ及びポートを各々別の基板乃至部材に搭載することもできる。又更に、出力ポートは、稼働情報の入力を受け付けるようにすることができ、又、入力或いは出力受付前にはパスワードやバイオメトリクス等の認証を得るようにすることができるし、不揮発性メモリの稼働情報以外の情報の入出力（入力のみ或いは出力のみを含む）を可能とすることもできる。
【００８９】
加えて、封入手段は、不揮発性メモリを覆うシールや、閉まる方向にのみドライバーで回すことのできるワンウェイタイプのネジで閉められた上下カバー等とすることができる。各電気的接続は、無線接続を採用することができる。そして、本発明は、図柄の始動条件、大当たり判定、大当たり状態、払出処理等の異なるパチンコ機や、他の遊技機に適用できる。
【００９０】
【発明の効果】
本発明によれば、遊技機において、リース料のための情報を円滑且つ安全で整合性の取れた状態にて取得し、保持し、出力することを可能とし、遊技機を稼働状況に応じたリース料でリースするという、合理的で画期的なプランを、必要に応じセキュアな状態で提供することができる。
【図面の簡単な説明】
【図１】本発明の形態１に係るパチンコ機の正面を示す斜視説明図である。
【図２】図１の背面を示す斜視説明図である。
【図３】図１のパチンコ機の電気的構成の一部を示すブロック図である。
【図４】図２において情報機器の端子を接続した場合の一部拡大説明図である。
【図５】本発明の形態２に係るパチンコ機の正面を示す斜視説明図である。
【図６】図５の背面を示す斜視説明図である。
【図７】図５のパチンコ機の電気的構成の一部を示すブロック図である。
【図８】図６において情報機器の端子を接続した場合の一部拡大説明図である。
【符号の説明】
１，１０１・・パチンコ機、１６，１１６・・貸出球センサ、１７，１１７・・賞品球センサ、２６・・排出球センサ、２８，１２８・・稼働情報保持基板、３０，１３０・・稼働情報保持基板カバー、３２，１３２・・出力ポート、３４，１３４・・アクセス孔、４０，１３６，１３８，１４０・・ＣＰＵ、４２，１４２・・ＥＥＰＲＯＭ、１０７・・普通入賞球センサ、１０８・・始動球センサ、１０９・・大入賞球センサ、１１８・・主基板、１２２・・払出基板。
【図１】
0004254095.tif 000005
【図２】
0004254095.tif 000006
【図３】
0004254095.tif 000007
【図４】
0004254095.tif 000008
【図５】
0004254095.tif 000009
【図６】
0004254095.tif 000010
【図７】
0004254095.tif 000011
【図８】
0004254095.tif 000012